(57)【特許請求の範囲】
【請求項１】
係合用の凹部を持つ探触子に装着する穿刺針アダプタであって、穿刺針誘導用の孔または溝を有する胴体部と、前記探触子に係合すべき複数のレバー部とを備え、前記レバー部の少なくとも１つは、前記探触子の前記凹部と係合するための凸部を有する１対の挟持片を具備し、前記凸部は、前記狭持片と直角を成す平面を前記狭持片の基部側に有し、前記探触子に装着するとき、押し込まれた前記挟持片は弾性により広がりながら進み、前記挟持片の前記凸部が前記探触子の凹部に嵌り込んでロックされることを特徴とする探触子用穿刺針アダプタ。
【請求項２】
前記複数のレバー部の係合構造がそれぞれ異形であり、前記探触子に不正常な状態で装着されたとき、前記凸部に係合する前記探触子の凹部が存在しないように前記凸部及び凹部が配置されていることを特徴とする請求項１に記載の探触子用穿刺針アダプタ。
【発明の詳細な説明】
【０００１】
【発明の属する技術分野】
本発明は、体腔内の超音波診断に用いる超音波探触子に穿刺針を装着するための穿刺針アダプタに関し、特に、超音波探触子に対してこのアダプタを安定的に固定できるようにしたものである。
【０００２】
【従来の技術】
従来、体腔内検査の際に穿刺術を行うため、体腔内超音波検査に用いる超音波探触子は穿刺針が装着できるような構成を有している。この穿刺針は、体腔内検査用超音波探触子に取り付けた穿刺針アダプタで保持される。
【０００３】
従来の探触子用穿刺針アダプタとして、登録実用新案第２０５８９５２号で示されたものが知られている。この装置は、図３に示すように、穿刺針を誘導する誘導管１４に、超音波探触子の先端側に係合する係合部３０と、超音波探触子を抱き込むように作動するクランプアーム２２とが固定されている。
【０００４】
体腔内検査用超音波探触子は、図１の２で示すように、細長い外形を有しており、係合部３０は、その首部に嵌まって位置決めする。１４ｂは、誘導管に連通する孔である。また、クランプアーム２２は、閉じる方向に押されると、超音波探触子を抱き込み、穿刺針アダプタが超音波探触子に装着される。
【０００５】
【発明が解決しようとする課題】
しかし、この従来の探触子用穿刺針アダプタは、外径の異なる各種の探触子に装着が可能であるものの、クランプアームの可動範囲が広いために、大型で構造が複雑であり、付着した汚れが落ちにくいという問題点を有していた。
【０００６】
体腔内診断を対象とする穿刺針アダプタは、狭い場所での手術使用が大半であるため、操作性の観点から小型化は非常に強く要望されている。また、近年、各種感染防止や使用後における汚れ落し、消毒滅菌が容易な構造が強く求められている。
【０００７】
また、従来の穿刺針アダプタのクランプ部は、超音波探触子に装着する場合の自由度が高いという利点がある一方で、装着方向の規制が難しく、装着位置の正確さを損なう可能性を持つという問題点があった。
【０００８】
過度の自由度があるクランプ機構は、超音波探触子の定位置に固定することが難しく、位置合わせのズレが大きくなるという欠点を有している。
【０００９】
本発明は、こうした従来の問題点を解決するものであり、超音波探触子へのワンタッチでの装着が可能であり、汚れ落しや消毒が容易であり、また、誤装着を防止できる穿刺針アダプタを提供することを目的としている。
【００１０】
【課題を解決をするための手段】
そこで、本発明では、探触子用穿刺針アダプタに、穿刺針誘導用の孔または溝を有する胴体部と、探触子に係合する複数のレバー部とを設け、レバー部の少なくとも１つに、係合用の凸部を有する１対の挟持片を設け、探触子に装着したとき、この凸部が探触子の凹部に係合してロックされるように構成している。
【００１１】
そのため、穿刺針アダプタを探触子に重ねて押圧すれば、ワンタッチで穿刺針アダプタを探触子に装着することができ、一旦、凸部が探触子の凹部に入り込めば、穿刺針アダプタを装着方向に引いても容易には外れない。
【００１２】
【発明の実施の形態】
本発明の請求項１に記載の発明は、係合用の凹部を持つ探触子に装着する穿刺針アダプタに、穿刺針誘導用の孔または溝を有する胴体部と、探触子に係合すべき複数のレバー部とを設け、レバー部の少なくとも１つに、探触子の凹部と係合するための凸部を有する１対の挟持片を設け、前記凸部には、狭持片と直角を成す平面を狭持片の基部側に設け、探触子に装着するとき、押し込まれた挟持片は弾性により広がりながら進み、挟持片の凸部が探触子の凹部に嵌り込んでロックされるようにしたものであり、一旦、凸部が探触子の凹部に入り込めば、穿刺針アダプタを装着方向に引いても容易には外れない構造である。
【００１３】
請求項２に記載の発明は、複数のレバー部の係合構造をそれぞれ異形にし、探触子に不正常な状態で装着されたとき、前記凸部に係合する探触子の凹部が存在しないように凸部及び凹部を配置したものであり、誤装着を防止することができる。
【００１４】
以下、本発明の実施の形態について、図面を用いて説明する。
【００１５】
図１は、実施形態の穿刺針アダプタが、体腔内診断用の超音波探触子２に装着された状態を示しており、図２は、そのＡ−Ａ断面図を示している。
【００１６】
穿刺針アダプタは、穿刺針誘導の孔または溝を有する胴体部１と、穿刺針の案内を行うガイドパイプ３と、胴体部１に固定された、探触子２との連結用のレバー部の一つである後レバー１ｂと、ガイドパイプ３に固定されたレバー部の一つである前レバー１ａとを備えている。ガイドパイプ３は胴体部１と一体化されて図示しない穿刺針の案内を行う。
【００１７】
前レバー１ａは、基部から延びる向かい合う２つの弾性片（レバー）１１を具備しており、この２つの弾性片１１と基部とは、探触子２の首部の円筒の半径に近似する円弧面をその内側に有している。
【００１８】
また、後レバー１ｂは、図２に示すように、基部から延びる向かい合う２つの挟持片（レバー）１２を具備し、各挟持片１２の先端には内方向を向く凸部４（図２の上側が水平面、下側がテーパー面）が形成され、また、一方の挟持片１２の先端外方には、ロック解除に使用する解除片６が形成されている。
【００１９】
また、この凸部４に対応する探触子２上の位置には凹部５が形成されている。この凹部５は、探触子２の円筒の中心よりも下方に位置している。この凹部５の（図２での）上側の壁面と下側の壁面とは平行ではなく、上側の壁面は、円筒面に対して直角またはそれ以下の角度を有しており、また、下側の壁面は、円筒面に対して直角より遥かに大きい角度を有している。
【００２０】
この穿刺針アダプタの動作について説明する。
【００２１】
先ず、超音波探触子２には、穿刺針アダプタを装着する前に所定の消毒滅菌処理を施こし、汚れ感染防止等の観点から予め図示しないカバーを被せておく。また、穿刺針アダプタに対しても事前の消毒滅菌を施こす。
【００２２】
次に、穿刺針アダプタの後レバー１ｂの挟持片１２の凸部４が、探触子２の凹部５と重なるように、穿刺針アダプタを探触子２に重ね、探触子２の中心軸方向へ押し込み、穿刺針アダプタと探触子２とを合体させる。
【００２３】
このとき、穿刺針アダプタの前レバー１ａの弾性片１１は、探触子２の首部の円筒を乗り越え、その部分を挟むようにして固定される。また、後レバー１ｂの挟持片１２は、押し込んだときに、弾性により広がり、探触子２の凹部５の方向へ進行する。探触子２の凹部５と穿刺針アダプタの挟持片１２の凸部４とが合致したところで、凸部４が凹部５に嵌まり込み、位置決めと固定とが行われる。
【００２４】
この凸部４が凹部５に嵌まり込むと、穿刺針アダプタに図２の上方向に引っ張る力が加わっても、凸部４と凹部５とがロックしているので、穿刺針アダプタは探触子２から外れない。
【００２５】
また、穿刺針アダプタを装着する際、誤って探触子２の裏面より装着しようとした場合には、凹部５が探触子２の円筒の中心にないため、凸部４が凹部５に位置的に引っ掛からず、装着不可能となり誤装着が回避される。
【００２６】
また、穿刺針アダプタの前後を取り違えて探触子２に装着しようとした場合には、前レバー１ａと後レバー１ｂとの大きさや形状、固定方法の違いにより、装着不能となり、誤装着が回避できる。
【００２７】
このようにして、穿刺針アダプタを探触子２に装着して穿刺術を行うが、穿刺針アダプタの胴体部１と一体化されているガイドパイプ３に穿刺針を挿入して、被検体へ差し込む際に、穿刺針アダプタは探触子２に対して、食いつきの良い結合により固定されているので、外れたりズレたりすることがなく安定した穿刺を行うことができる。
【００２８】
穿刺操作の後、穿刺針アダプタを外す作業に入るが、穿刺針アダプタを装着方向に引いても簡単に外すことはできない。このときは、後レバー１ｂの解除片６を横方向に引いて、挟持片１２の凸部４を探触子２の凹部５から脱出させてロックを解除し、穿刺針アダプタを探触子２から取り外す。
【００２９】
このようにして外した穿刺針アダプタは、洗浄、滅菌等の処置を施した後、保管する。
【００３０】
このように、実施形態の穿刺針アダプタは、探触子にワンタッチで装着することができ、また、誤装着のおそれも無い。また、少ない部品構成でコンパクトに構成されているため、洗浄や滅菌等の処理が簡単である。
【００３１】
【発明の効果】
以上の説明から明らかなように、本発明の探触子用穿刺針アダプタは、探触子に対して位置決めし易く誤装着が回避できる。着脱は簡単であり、装着した状態で強固に固定される。また、単純な構成であるため、故障が少なく、洗浄や滅菌等の処理が簡単である。
【図面の簡単な説明】
【図１】本発明の実施形態における穿刺針アダプタを探触子に装着した状態を示す斜視図、
【図２】本発明の実施形態を示す図１のＡ−Ａ断面図、
【図３】従来の穿刺針アダプタの構造を示す図である。
【符号の説明】
１  胴体部
１ａ  前レバー
１ｂ  後レバー
２  探触子
３  ガイドパイプ
４  凸部
５  凹部
１１  弾性片
１２  挟持片
１４  誘導管
２２  クランプアーム
３０  係合部
【図１】
0003570923.tif 000002
【図２】
0003570923.tif 000003
【図３】
0003570923.tif 000004